【手続補正書】
【提出日】平成23年8月26日(2011.8.26)
【手続補正１】
【補正対象書類名】特許請求の範囲
【補正対象項目名】全文
【補正方法】変更
【補正の内容】
【特許請求の範囲】
【請求項１】
動画データを生成する動画生成手段と、
前記動画データのフレームレートの変更指示を出力する指示出力手段と、
前記指示出力手段からのフレームレート変更指示に応じて、前記動画生成手段が生成する前記動画データのフレームレートを、第１のフレームレートから第２のフレームレートに変更するよう前記動画生成手段を制御する制御手段と、
前記第２のフレームレートを示す付加情報を生成する付加情報生成手段と、
前記指示出力手段からのフレームレート変更指示に応じて、前記動画生成手段により生成された前記第１のフレームレートの動画データに前記付加情報を付加する手段であって、前記動画生成手段により生成された動画データのフレームレートが前記第１のフレームレートから前記第２のフレームレートに変わる変更点よりも前の所定のフレームから前記フレームレート変更点までの前記第１のフレームレートの動画データに前記付加情報を付加する多重手段と、
前記多重手段から出力された前記動画データと前記付加情報とを送信する送信手段
とを備えることを特徴とする画像処理装置。
【請求項２】
前記多重手段は、前記所定のフレームから前記変更点までの少なくとも１フレームに前記付加情報を付加することを特徴とする請求項１に記載の画像処理装置。
【請求項３】
前記多重手段は、前記変更点のｎフレーム（ｎは１以上の整数）前から前記変更点までの動画データに前記付加情報を付加し、前記第１のフレームレートの値に基づいて前記ｎを決定することを特徴とする請求項１に記載の画像処理装置。
【請求項４】
動画データを取得する取得手段と、
前記取得手段により取得された前記動画データのフレームレートが第１のフレームレートから第２のフレームレートに変わる変更点よりも前の所定のフレームから前記変更点までの少なくとも一つのフレームに、前記第２のフレームレートを示す付加情報を付加する多重手段と、
前記多重手段から出力された前記動画データと前記付加情報とを送信する送信手段
とを備えることを特徴とする画像処理装置。
【請求項５】
動画データを生成する動画生成手段と、
前記動画データのフレームレートの変更指示を出力する指示出力手段と、
前記指示出力手段からのフレームレート変更指示に応じて、前記動画生成手段が生成する前記動画データのフレームレートを、第１のフレームレートから第２のフレームレートに変更するよう前記動画生成手段を制御する制御手段と、
前記指示出力手段からのフレームレート変更指示に応じて、前記動画生成手段により生成された前記動画データのフレームレートが前記第１のフレームレートから前記第２のフレームレートに変わる変更点までのフレーム数を示す付加情報を生成する付加情報生成手段と、
前記動画生成手段により生成された前記第１のフレームレートの動画データに前記付加情報を付加する多重手段と、
前記多重手段から出力された前記動画データと前記付加情報とを送信する送信手段
とを備えることを特徴とする画像処理装置。
【請求項６】
前記多重手段は、前記変更点のｎフレーム（ｎは１以上の整数）前から前記第１のフレームレートの動画データへの前記付加情報の付加を開始することを特徴とする請求項５に記載の画像処理装置。
【請求項７】
前記付加情報生成手段は、前記付加情報の値を１フレーム毎に１ずつ減少させ、前記多重手段は、前記変更点より前の所定のフレームから前記変更点までの各フレームに前記付加情報を付加することを特徴とする請求項６に記載の画像処理装置。
【請求項８】
前記制御手段は、前記送信手段による前記第１のフレームレートの動画データの送信中に前記指示出力手段から出力された前記フレームレートの変更指示に応じて、前記動画像データのフレームレートを前記第２のフレームレートに変更するよう前記動画生成手段を制御することを特徴とする請求項１または５に記載の画像処理装置。
【請求項９】
動画データを取得する取得手段と、
前記取得手段により取得された前記動画データのフレームレートが第１のフレームレートから第２のフレームレートに変わる変更点までの期間に関する付加情報を生成する付加情報生成手段と、
前記第１のフレームレートの動画データに前記付加情報を付加する多重手段と、
前記多重手段から出力された前記動画データと前記付加情報とを送信する送信手段
とを備えることを特徴とする画像処理装置。
【請求項１０】
動画データを生成する動画生成ステップと、
前記動画データのフレームレートの変更指示を出力する指示出力ステップと、
前記指示出力ステップによるフレームレート変更指示に応じて、前記動画生成ステップで生成する前記動画データのフレームレートを、第１のフレームレートから第２のフレームレートに変更するよう前記動画生成ステップを制御する制御ステップと、
前記第２のフレームレートを示す付加情報を生成する付加情報生成ステップと、
前記指示出力ステップによるフレームレート変更指示に応じて、前記動画生成ステップで生成された前記第１のフレームレートの動画データに前記付加情報を付加するステップであって、前記動画生成ステップで生成された動画データのフレームレートが前記第１のフレームレートから前記第２のフレームレートに変わる変更点よりも前の所定のフレームから前記フレームレート変更点までの前記第１のフレームレートの動画データに前記付加情報を付加する多重ステップと、
前記多重ステップによる前記動画データと前記付加情報とを送信する送信ステップ
とを備えることを特徴とする画像処理方法。
【請求項１１】
動画データを取得する取得ステップと、
前記取得ステップにより取得された前記動画データのフレームレートが第１のフレームレートから第２のフレームレートに変わる変更点よりも前の所定のフレームから前記変更点までの少なくとも一つのフレームに、前記第２のフレームレートを示す付加情報を付加する多重ステップと、
前記多重ステップによる前記動画データと前記付加情報とを送信する送信ステップ
とを備えることを特徴とする画像処理方法。
【請求項１２】
動画データを生成する動画生成ステップと、
前記動画データのフレームレートの変更指示を出力する指示出力ステップと、
前記指示出力ステップによるフレームレート変更指示に応じて、前記動画生成ステップで生成される前記動画データのフレームレートを、第１のフレームレートから第２のフレームレートに変更するよう前記動画生成ステップを制御する制御ステップと、
前記指示出力ステップによるフレームレート変更指示に応じて、前記動画生成ステップで生成された前記動画データのフレームレートが前記第１のフレームレートから前記第２のフレームレートに変わる変更点までのフレーム数を示す付加情報を生成する付加情報生成ステップと、
前記動画生成ステップで生成された前記第１のフレームレートの動画データに前記付加情報を付加する多重ステップと、
前記多重ステップによる前記動画データと前記付加情報とを送信する送信ステップ
とを備えることを特徴とする画像処理方法。
【請求項１３】
動画データを取得する取得ステップと、
前記取得ステップで取得された前記動画データのフレームレートが第１のフレームレートから第２のフレームレートに変わる変更点までの期間に関する付加情報を生成する付加情報生成ステップと、
前記第１のフレームレートの動画データに前記付加情報を付加する多重ステップと、
前記多重ステップによる前記動画データと前記付加情報とを送信する送信ステップ
とを備えることを特徴とする画像処理方法。
【手続補正２】
【補正対象書類名】明細書
【補正対象項目名】発明の名称
【補正方法】変更
【補正の内容】
【発明の名称】画像処理装置及び方法
【手続補正３】
【補正対象書類名】明細書
【補正対象項目名】０００１
【補正方法】変更
【補正の内容】
【０００１】
本発明は、画像処理装置及び方法に関し、詳しくは動画像データを送信する装置及び方法に関する。
【手続補正４】
【補正対象書類名】明細書
【補正対象項目名】０００９
【補正方法】変更
【補正の内容】
【０００９】
本発明は、このような問題点を解決し、送信中の動画像データのフレームレートの変更を容易に検出可能な装置及び方法を提示することを目的とする。
【手続補正５】
【補正対象書類名】明細書
【補正対象項目名】００１０
【補正方法】変更
【補正の内容】
【００１０】
本発明に係る画像処理装置は、動画データを生成する動画生成手段と、前記動画データのフレームレートの変更指示を出力する指示出力手段と、前記指示出力手段からのフレームレート変更指示に応じて、前記動画生成手段が生成する前記動画データのフレームレートを、第１のフレームレートから第２のフレームレートに変更するよう前記動画生成手段を制御する制御手段と、前記第２のフレームレートを示す付加情報を生成する付加情報生成手段と、前記指示出力手段からのフレームレート変更指示に応じて、前記動画生成手段により生成された前記第１のフレームレートの動画データに前記付加情報を付加する手段であって、前記動画生成手段により生成された動画データのフレームレートが前記第１のフレームレートから前記第２のフレームレートに変わる変更点よりも前の所定のフレームから前記フレームレート変更点までの前記第１のフレームレートの動画データに前記付加情報を付加する多重手段と、前記多重手段から出力された前記動画データと前記付加情報とを送信する送信手段とを備えることを特徴とする。
本発明に係る画像処理装置は、動画データを取得する取得手段と、前記取得手段により取得された前記動画データのフレームレートが第１のフレームレートから第２のフレームレートに変わる変更点よりも前の所定のフレームから前記変更点までの少なくとも一つのフレームに、前記第２のフレームレートを示す付加情報を付加する多重手段と、前記多重手段から出力された前記動画データと前記付加情報とを送信する送信手段とを備えることを特徴とする。
本発明に係る画像処理装置は、動画データを生成する動画生成手段と、前記動画データのフレームレートの変更指示を出力する指示出力手段と、前記指示出力手段からのフレームレート変更指示に応じて、前記動画生成手段が生成する前記動画データのフレームレートを、第１のフレームレートから第２のフレームレートに変更するよう前記動画生成手段を制御する制御手段と、前記指示出力手段からのフレームレート変更指示に応じて、前記動画生成手段により生成された前記動画データのフレームレートが前記第１のフレームレートから前記第２のフレームレートに変わる変更点までのフレーム数を示す付加情報を生成する付加情報生成手段と、前記動画生成手段により生成された前記第１のフレームレートの動画データに前記付加情報を付加する多重手段と、前記多重手段から出力された前記動画データと前記付加情報とを送信する送信手段とを備えることを特徴とする。
本発明に係る画像処理装置は、動画データを取得する取得手段と、前記取得手段により取得された前記動画データのフレームレートが第１のフレームレートから第２のフレームレートに変わる変更点までの期間に関する付加情報を生成する付加情報生成手段と、前記第１のフレームレートの動画データに前記付加情報を付加する多重手段と、前記多重手段から出力された前記動画データと前記付加情報とを送信する送信手段とを備えることを特徴とする。
本発明に係る画像処理方法は、動画データを生成する動画生成ステップと、前記動画データのフレームレートの変更指示を出力する指示出力ステップと、前記指示出力ステップによるフレームレート変更指示に応じて、前記動画生成ステップで生成する前記動画データのフレームレートを、第１のフレームレートから第２のフレームレートに変更するよう前記動画生成ステップを制御する制御ステップと、前記第２のフレームレートを示す付加情報を生成する付加情報生成ステップと、前記指示出力ステップによるフレームレート変更指示に応じて、前記動画生成ステップで生成された前記第１のフレームレートの動画データに前記付加情報を付加するステップであって、前記動画生成ステップで生成された動画データのフレームレートが前記第１のフレームレートから前記第２のフレームレートに変わる変更点よりも前の所定のフレームから前記フレームレート変更点までの前記第１のフレームレートの動画データに前記付加情報を付加する多重ステップと、前記多重ステップによる前記動画データと前記付加情報とを送信する送信ステップとを備えることを特徴とする。
本発明に係る画像処理方法は、動画データを取得する取得ステップと、前記取得ステップにより取得された前記動画データのフレームレートが第１のフレームレートから第２のフレームレートに変わる変更点よりも前の所定のフレームから前記変更点までの少なくとも一つのフレームに、前記第２のフレームレートを示す付加情報を付加する多重ステップと、前記多重ステップによる前記動画データと前記付加情報とを送信する送信ステップとを備えることを特徴とする。
本発明に係る画像処理方法は、動画データを生成する動画生成ステップと、前記動画データのフレームレートの変更指示を出力する指示出力ステップと、前記指示出力ステップによるフレームレート変更指示に応じて、前記動画生成ステップで生成される前記動画データのフレームレートを、第１のフレームレートから第２のフレームレートに変更するよう前記動画生成ステップを制御する制御ステップと、前記指示出力ステップによるフレームレート変更指示に応じて、前記動画生成ステップで生成された前記動画データのフレームレートが前記第１のフレームレートから前記第２のフレームレートに変わる変更点までのフレーム数を示す付加情報を生成する付加情報生成ステップと、前記動画生成ステップで生成された前記第１のフレームレートの動画データに前記付加情報を付加する多重ステップと、前記多重ステップによる前記動画データと前記付加情報とを送信する送信ステップとを備えることを特徴とする。
本発明に係る画像処理方法は、動画データを取得する取得ステップと、前記取得ステップで取得された前記動画データのフレームレートが第１のフレームレートから第２のフレームレートに変わる変更点までの期間に関する付加情報を生成する付加情報生成ステップと、前記第１のフレームレートの動画データに前記付加情報を付加する多重ステップと、前記多重ステップによる前記動画データと前記付加情報とを送信する送信ステップとを備えることを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００４１
【補正方法】変更
【補正の内容】
【００４１】
例えば、変更後のフレームレートが１２０ｆｐｓの場合、目標フレームレート情報３０３の目標フレームレート値３０３ｂに１２０をセットする。また、付加情報生成回路１０８は、フレームレート変更フラグ３０１ａに１をセットし、カウントダウン情報３０２に、フレームレート変更点までのフレーム数をセットする。本実施例では、フレームレート変更の指示を受けてから実際に撮像回路１０２が動画データのフレームレートを切り替えるまでの期間を１０フレームとする。そのため、フレームレート変更の指示の直後のカウントダウン情報３０２には、１０（１６進数で０Ａ）をセットする。
【手続補正８】
【補正対象書類名】明細書
【補正対象項目名】００５４
【補正方法】変更
【補正の内容】
【００５４】
制御回路１１３からフレームレート変更の指示を受けると図１１のフローが開始する。
【手続補正９】
【補正対象書類名】明細書
【補正対象項目名】００６０
【補正方法】変更
【補正の内容】
【００６０】
そして、画像処理回路１０３からのタイミング信号に基づいて、画像符号化回路１０４から次のフレームが出力されたことを検出すると（Ｓ１１１０）、Ｓ１１０９で設定した付加情報を多重回路１０９に出力する。多重回路１０９は、この様に出力された付加情報を次のフレームに付加して出力する（Ｓ１１１１）。
【手続補正１０】
【補正対象書類名】明細書
【補正対象項目名】００７５
【補正方法】変更
【補正の内容】
【００７５】
これにより、フレームレートの変更点までのｎフレームのうち、何れかのフレームに付加されたカウントダウン情報３０２が検出できさえすれば、フレームレート変更点までの期間をカウントすることが可能である。フレームカウンタ９１２は、カウント値が０になると、フレームレートの切り替えを示す制御信号を表示制御回路９１１に出力する。表示制御回路９１１は、このフレームカウンタ９１２からの切り替え制御信号に基づいて、画像出力回路９０５からの動画像データの出力タイミングを制御する。
【手続補正１１】
【補正対象書類名】明細書
【補正対象項目名】００７７
【補正方法】変更
【補正の内容】
【００７７】
切り替え制御回路１００６には、フレームカウンタ９１２からの切り替え制御信号が供給されており、切り替え制御回路１００６は、この切り替え制御信号に基づいてＰＬＬ回路１００１からのクロックとＰＬＬ回路１００２からのクロックを切り替えるようにスイッチ１００３を制御する。スイッチ１００３から出力されるクロックは画像出力回路９０５とアドレス発生回路１００４に供給される。
【手続補正１２】
【補正対象書類名】明細書
【補正対象項目名】００７８
【補正方法】変更
【補正の内容】
【００７８】
アドレス発生回路１００４は、スイッチ１００３から出力されるクロックに基づいて画像出力回路９０５におけるバッファメモリの読出しアドレスを発生し、出力する。画像出力回路９０５は、スイッチ１００３からのクロックに従い、アドレス発生回路１００４からの読み出しアドレスの画像データをバッファメモリから読み出し、表示パネル９０６に出力する。
【手続補正１３】
【補正対象書類名】明細書
【補正対象項目名】００８３
【補正方法】変更
【補正の内容】
【００８３】
また、切り替え制御回路１００６は、フレームカウンタ９１２からの切り替え制御信号に基づいてスイッチ１００３の切り替えタイミングを制御する。即ち、カウントダウン情報が０になると同時に、フレームカウンタ９１２から切り替え制御回路１００６に対して切り替え制御信号が供給される。切り替え制御回路１００６は、この切り替え制御信号に応じて、ＰＬＬ回路１００２からの出力クロックを選択して出力するようにスイッチ１００３を制御する。スイッチ１００３により選択されたクロックが、アドレス発生回路１００４及び画像出力回路９０５に供給される。
【手続補正１４】
【補正対象書類名】明細書
【補正対象項目名】０１００
【補正方法】変更
【補正の内容】
【０１００】
図１２は、フレームレート変更の指示を受けた場合の付加情報生成回路１０８の処理を示すフローチャートである。制御回路１１３からフレームレート変更の指示を受けると図１２のフローが開始する。
【手続補正１５】
【補正対象書類名】図面
【補正対象項目名】図１
【補正方法】変更
【補正の内容】
【図１】
2009135888.tif 000001
【手続補正１６】
【補正対象書類名】図面
【補正対象項目名】図３
【補正方法】変更
【補正の内容】
【図３】
2009135888.tif 000002
【手続補正１７】
【補正対象書類名】図面
【補正対象項目名】図６
【補正方法】変更
【補正の内容】
【図６】
2009135888.tif 000003